(57)【特許請求の範囲】
【請求項１】
複数の第３者の外部装置からの閲覧用情報に対する閲覧を許容するサーバと通信可能な情報処理装置であって、
スヌーズボタンと、
アラーム停止ボタンと、
起床予定時刻として設定されたアラーム時刻にアラームを出力し、また、前記アラームの出力中に前記スヌーズボタンが操作されると、前記アラームの出力を所定時間中断した後に前記アラームの出力を再び行うスヌーズ動作を実行し、また、前記アラームの出力中に前記アラーム停止ボタンが操作されると、前記アラームの出力を停止し、また、前記アラームの中断中に前記アラーム停止ボタンが操作されると、前記アラームの中断後の前記アラームの再出力を停止するアラーム処理手段と、
前記アラーム処理手段にて前記アラームの出力の停止または前記アラームの再出力の停止が実行されると、前記アラーム時刻に前記アラームの出力が開始された時点から前記アラーム停止ボタンが操作された時点までの間に前記スヌーズボタンが操作された回数に基づいて、起床に要した時間の程度を表す起床指数を算出する算出手段と、
起きた旨のコメントと、前記算出手段にて算出された起床指数とを、前記閲覧用情報として前記サーバに登録する登録手段と、を含む情報処理装置。
【請求項２】
請求項１に記載の情報処理装置において、
前記算出手段は、前記アラームの出力開始時から前記アラーム停止ボタンの操作時までの間に前記スヌーズボタンが操作された回数が多いほど、前記起床指数が表す値を小さくする、情報処理装置。
【請求項３】
請求項１または２に記載の情報処理装置において、
第１画像と、該第１画像で隠されていた箇所を少なくとも表す第２画像を記憶する記憶手段と、
前記第１画像または前記第２画像を表示する表示手段をさらに含み、
前記アラーム処理手段は、前記アラーム時刻になると、前記表示手段に前記第１画像を表示し、前記アラームの出力中に前記スヌーズボタンが操作されるごとに、前記表示手段に予め決められた縮小率分縮小した前記第１画像を表示し、
前記アラーム処理手段は、前記アラーム停止ボタンが操作されると、前記表示手段に前記第１画像の代わりに現在表示中の前記第１画像と同じ縮小率の前記第２画像を表示する、情報処理装置。
【請求項４】
請求項３に記載の情報処理装置において、
前記アラーム処理手段は、予め定められた回数だけ前記スヌーズ動作を連続して行うことが可能であり、
前記表示手段は、前記予め設定された回数から前記スヌーズ動作の連続実行回数を引いた値に応じて形態が変わるスヌーズ回数対応画像を、さらに表示する、情報処理装置。
【請求項５】
請求項１から４のいずれか１項に記載の情報処理装置において、
前記登録手段は、前記アラーム処理手段が起動すると、就寝した旨の就寝開始情報を、前記閲覧用情報として前記サーバに登録する、情報処理装置。
【請求項６】
複数の第３者の外部装置からの閲覧用情報に対する閲覧を許容するサーバと通信可能でありスヌーズボタンとアラーム停止ボタンとを含む情報処理装置での閲覧用情報登録方法あって、
起床予定時刻として設定されたアラーム時刻にアラームを出力し、また、前記アラームの出力中に前記スヌーズボタンが操作されると、前記アラームの出力を所定時間中断した後に前記アラームの出力を再び行うスヌーズ動作を実行し、また、前記アラームの出力中に前記アラーム停止ボタンが操作されると、前記アラームの出力を停止し、また、前記アラームの中断中に前記アラーム停止ボタンが操作されると、前記アラームの中断後の前記アラームの再出力を停止するアラーム処理ステップと、
前記アラームの出力の停止または前記アラームの再出力の停止が実行されると、前記アラーム時刻に前記アラームの出力が開始された時点から前記アラーム停止ボタンが操作された時点までの間に前記スヌーズボタンが操作された回数に基づいて、起床に要した時間の程度を表す起床指数を算出する算出ステップと、
起きた旨のコメントと、前記起床指数とを、前記閲覧用情報として前記サーバに登録する登録ステップと、を含む閲覧用情報登録方法。
【請求項７】
請求項６に記載の閲覧用情報登録方法において、
前記算出ステップでは、前記アラームの出力開始時から前記アラーム停止ボタンの操作時までの間に前記スヌーズボタンが操作された回数が多いほど、前記起床指数が表す値を小さくする、閲覧用情報登録方法。
【請求項８】
請求項６または７に記載の閲覧用情報登録方法において、
第１画像と、該第１画像で隠されていた箇所を少なくとも表す第２画像を記憶手段に記憶する記憶ステップをさらに含み、
前記アラーム処理ステップでは、前記アラーム時刻になると、表示手段に前記第１画像を表示し、前記アラームの出力中に前記スヌーズボタンが操作されるごとに、前記表示手段に予め決められた縮小率分縮小した前記第１画像を表示し、
前記アラーム処理ステップでは、前記アラーム停止ボタンが操作されると、前記表示手段に前記第１画像の代わりに現在表示中の前記第１画像と同じ縮小率の前記第２画像を表示する、閲覧用情報登録方法。
【請求項９】
請求項８に記載の閲覧用情報登録方法において、
前記アラーム処理ステップでは、予め定められた回数だけ前記スヌーズ動作を連続して行うことが可能であり、
前記予め設定された回数から前記スヌーズ動作の連続実行回数を引いた値に応じて形態が変わるスヌーズ回数対応画像を前記表示手段にさらに表示する表示ステップをさらに含む、閲覧用情報登録方法。
【請求項１０】
請求項６から９のいずれか１項に記載の閲覧用情報登録方法において、
前記登録ステップでは、前記アラーム処理ステップの実行が開始されると、就寝した旨の就寝開始情報を、前記閲覧用情報として前記サーバに登録する、閲覧用情報登録方法。
【請求項１１】
請求項６から１０のいずれか１項に記載の閲覧用情報登録方法における情報処理装置の動作を、コンピュータに実行させるためのプログラム。
【発明の詳細な説明】
【技術分野】
【０００１】
本発明は、情報処理装置、閲覧用情報登録方法およびプログラムに関し、特には、アラーム機能を有する情報処理装置、閲覧用情報登録方法およびプログラムに関する。
【背景技術】
【０００２】
特許文献１には、スヌーズ付きのアラーム機能を有する携帯電話機が記載されている。特許文献１に記載の携帯電話機の利用者は、起床時、アラーム停止後に再度寝てしまうことを、スヌーズ機能を用いることによって防止できる。
【先行技術文献】
【特許文献】
【０００３】
【特許文献１】特開２００８−２１５９９２号公報
【発明の概要】
【発明が解決しようとする課題】
【０００４】
特許文献１に記載の携帯電話機は、単に、アラームを鳴らすものであり、利用者が予定通りの時刻に起きるモチベーションを向上させる仕組みがない。このため、特許文献１に記載の携帯電話機は、利用者の二度寝を防止させるための機能が乏しいという課題があった。
【０００５】
本発明の目的は、上述した課題を解決可能な情報処理装置、閲覧用情報登録方法およびプログラムを提供することである。
【課題を解決するための手段】
【０００６】
本発明の情報処理装置は、閲覧用情報に対する外部装置による閲覧を許容するサーバと通信可能な情報処理装置であって、スヌーズボタンと、アラーム停止ボタンと、起床予定時刻として設定されたアラーム時刻にアラームを出力し、また、前記アラームの出力中に前記スヌーズボタンが操作されると、前記アラームの出力を所定時間中断した後に前記アラームの出力を再び行うスヌーズ動作を実行し、また、前記アラームの出力中に前記アラーム停止ボタンが操作されると、前記アラームの出力を停止し、また、前記アラームの中断中に前記アラーム停止ボタンが操作されると、前記アラームの中断後の前記アラームの再出力を停止するアラーム処理手段と、前記アラーム処理手段にて前記アラームの出力の停止または前記アラームの再出力の停止が実行されると、前記アラーム時刻に前記アラームの出力が開始された時点から前記アラーム停止ボタンが操作された時点までの間に前記スヌーズボタンが操作された回数に基づいて、起床に要した時間の程度を表す起床指数を算出する算出手段と、前記算出手段にて算出された起床指数を、前記閲覧用情報として前記サーバに登録する登録手段と、を含む。
【０００７】
本発明の閲覧用情報登録方法は、閲覧用情報に対する外部装置による閲覧を許容するサーバと通信可能でありスヌーズボタンとアラーム停止ボタンとを含む情報処理装置での閲覧用情報登録方法あって、起床予定時刻として設定されたアラーム時刻にアラームを出力し、また、前記アラームの出力中に前記スヌーズボタンが操作されると、前記アラームの出力を所定時間中断した後に前記アラームの出力を再び行うスヌーズ動作を実行し、また、前記アラームの出力中に前記アラーム停止ボタンが操作されると、前記アラームの出力を停止し、また、前記アラームの中断中に前記アラーム停止ボタンが操作されると、前記アラームの中断後の前記アラームの再出力を停止するアラーム処理ステップと、前記アラームの出力の停止または前記アラームの再出力の停止が実行されると、前記アラーム時刻に前記アラームの出力が開始された時点から前記アラーム停止ボタンが操作された時点までの間に前記スヌーズボタンが操作された回数に基づいて、起床に要した時間の程度を表す起床指数を算出する算出ステップと、前記起床指数を、前記閲覧用情報として前記サーバに登録する登録ステップと、を含む。
【０００８】
本発明のプログラムは、上記閲覧用情報登録方法における情報処理装置の動作を、コンピュータに実行させる。
【発明の効果】
【０００９】
本発明によれば、利用者が予定通りの時刻に起きるモチベーションを向上させることが可能になる。
【図面の簡単な説明】
【００１０】
【図１】本発明の一実施形態の情報処理端末１００を含む起床状態管理システムを示したブロック図である。
【図２】アラーム設定画面を用いたアラーム設定動作を説明するための図である。
【図３】アラーム実施に関する動作を説明するための図である。
【図４】スヌーズボタン１ｂ１の操作回数の増加に伴って変化する表示部１ｂの画像の例を示した図である。
【発明を実施するための形態】
【００１１】
以下、本発明の実施形態を図面を参照して説明する。
【００１２】
図１は、本発明の一実施形態の情報処理端末１００を含む起床状態管理システムを示したブロック図である。図１において、起床状態管理システムは、情報処理端末１００と、サーバ２００と、端末３００と、を含む。なお、端末３００は、１台に限らず複数台でもよい。情報処理端末１００とサーバ２００と端末３００とは、ネットワーク４００を介して相互に通信可能である。
【００１３】
情報処理端末１００は、一般的に情報処理装置と呼ぶことができる。情報処理端末１００は、例えば、スマートフォン等の携帯電話機である。なお、情報処理端末１００は、携帯電話機に限るものではなく、例えば、ＰＣ（パーソナルコンピュータ）でもよく適宜変更可能である。
【００１４】
情報処理端末１００は、閲覧用情報に対する端末３００による閲覧を許容するサーバ２００と通信可能である。情報処理端末１００は、表示入力部１と、アラーム処理部２と、算出部３と、送受信部４と、を含む。
【００１５】
表示入力部１は、画像記憶部１ａと、表示部１ｂと、入力部１ｃと、を含む。アラーム処理部２は、アラーム音として選択可能な複数のメロディの情報を記憶するメロディ記憶部２ａと、記憶部２ｂと、時計部２ｃと、出力部２ｄと、制御部２ｅと、を含む。出力部２ｄは、スピーカ２ｄ１と、バイブレータ２ｄ２と、を含む。算出部３は、カウンタ３ａと、計算部３ｂと、を含む。
【００１６】
表示入力部１は、画像を表示し、また、利用者から入力された情報を受け付ける。
【００１７】
画像記憶部１ａは、表示部１ｂに表示される画像の画像情報、例えば、アラーム設定画面を表すアラーム設定画面情報と、スヌーズボタンを表す画像情報と、アラーム停止ボタンを表す画像情報と、を記憶する。
【００１８】
また、画像記憶部１ａは、予め設定された２つの画像情報（以下、２つの画像情報の一方を「第１画像情報」と称し、他方を「第２画像情報」と称する）のペアを記憶する。
【００１９】
本実施形態では、ペアとなっている第１画像情報と第２画像情報では、第１画像情報が、画像上の一部の箇所が隠された画像（以下「第１画像」と称する）を表し、第２画像情報が、第１画像で隠されていた箇所を少なくとも表す画像（以下「第２画像」と称する）を表す。例えば、第１画像が、両手で顔が隠された人間を表す場合、第２画像は、第１画像で隠されていた顔を少なくとも表す画像となる。
【００２０】
表示部１ｂは、アラーム設定画面情報に従って、アラーム設定画面を表示する。アラーム設定画面は、アラーム時刻と、アラームの音量と、メロディ記憶部２ａ内の情報にて特定される複数のメロディの中からアラームとして用いられるメロディの選択結果と、アラームが実行される曜日（以下「アラーム実行曜日」と称する）と、アラームとしてのバイブレーションの動作の有無と、スヌーズの時間間隔（以下「スヌーズ間隔」と称する）と、を設定するための画面である。なお、スヌーズ間隔は、一般的に所定時間と呼ぶことができる。
【００２１】
表示部１ｂは、スヌーズボタンを表す画像情報に従って、スヌーズボタン１ｂ１を表示する。また、表示部１ｂは、アラーム停止ボタンを表す画像情報に従って、アラーム停止ボタン１ｂ２を表示する。
【００２２】
また、表示部１ｂは、第１画像情報に従って第１画像を表示し、第２画像情報に従って第２画像を表示する。なお、表示部１ｂは、第１画像と第２画像とを択一的に表示する。
【００２３】
入力部１ｃは、例えば、タッチパネルであり、表示部１ｂの背後に設けられる。入力部１ｃは、利用者の入力を受け付ける。入力部１ｃは、例えば、利用者がアラーム設定画面に従って入力した各情報（起床予定時刻として設定されたアラーム時刻、アラームの音量、メロディの選択結果、アラーム実行曜日、バイブレーション動作の有無、および、スヌーズ間隔）を受け付ける。
【００２４】
なお、入力部１ｃは、タッチパネルに限らずキーボタンでもよい。入力部１ｃがキーボタンである場合、入力部１ｃは、表示部１ｂの背後ではなく、情報処理端末１００の表面に設けられる。また、入力部１ｃが、スヌーズボタン１ｂ１とアラーム停止ボタン１ｂ２とを有してもよい。
【００２５】
アラーム処理部２は、一般的にアラーム処理手段と呼ぶことができる。
【００２６】
アラーム処理部２は、入力部１ｃが受け付けたアラーム時刻にアラームを出力する。
【００２７】
また、アラーム処理部２は、アラームの出力中にスヌーズボタン１ｂ１が操作されると、入力部１ｃが受け付けたスヌーズ間隔（例えば、１０分）だけアラームの出力を中断した後にアラームの出力を再び行うスヌーズ動作を実行する。なお、スヌーズ間隔は、１０分に限らず、例えば１分でもよく、適宜変更可能である。
【００２８】
また、アラーム処理部２は、アラームの出力中にアラーム停止ボタン１ｂ２が操作されると、アラームの出力を停止する。
【００２９】
また、アラーム処理部２は、アラームの中断中にアラーム停止ボタン１ｂ２が操作されると、スヌーズ動作を終了し、アラームの中断後のアラームの再出力を停止する。
【００３０】
メロディ記憶部２ａは、上述したように、アラーム音として選択可能な複数のメロディの情報を記憶する。
【００３１】
記憶部２ｂは、利用者がアラーム設定画面に従って入力部１ｃに入力した各情報（アラーム時刻、アラームの音量、メロディの選択結果、アラーム実行曜日、バイブレーション動作の有無、および、スヌーズ間隔）を記憶する。
【００３２】
記憶部２ｂは、予め設定されたスヌーズ最大連続実行回数を表すスヌーズ最大回数情報も記憶する。なお、記憶部２ｂは、入力部１ｃにて受け付けられたスヌーズ最大回数情報を記憶してもよい。入力部１ｃにて受け付けられたスヌーズ最大回数情報は、スヌーズ最大連続実行回数として、任意の回数を表すことが可能である。
【００３３】
また、記憶部２ｂは、サーバ２００に接続するために必要となる接続用情報と、起きた旨のコメントと、就寝した旨のコメントと、を表す情報も記憶する。接続用情報は、情報処理端末１００の利用者を識別するためのＩＤを少なくとも表し、必要ならパスワードも表してもよい。
【００３４】
時計部２ｃは、時刻を表す時刻情報を出力する。本実施形態では、時計部２ｃは、現在時刻を表す時刻情報と、現在の曜日を表す曜日情報と、を出力する。なお、時計部２ｃは、アラーム処理部２に含まれなくてもよい。この場合、時計部２ｃとしては、例えば、情報処理端末１００が予め有している時計部が使用され、時計部２ｃは、アラーム処理部２の外部に位置し、アラーム処理部２は、メロディ記憶部２ａと、記憶部２ｂと、出力部２ｄと、制御部２ｅと、を含む。
【００３５】
出力部２ｄは、スピーカ２ｄ１とバイブレータ２ｄ２とを有し、アラームを出力する。
【００３６】
制御部２ｅは、時計部２ｃからの時刻情報にて表される時刻が、記憶部２ｂ内の情報にて表されるアラーム時刻になると、メロディ記憶部２ａ内の情報にて表される複数のメロディのうち、記憶部２ｂ内の情報にて表されるメロディの選択結果が示すメロディを、記憶部２ｂ内の情報にて表されるアラームの音量で、スピーカ２ｄ１から出力する。
【００３７】
本実施形態では、制御部２ｅは、時刻情報にて表される時刻がアラーム時刻になり、かつ、時計部２ｃからの曜日情報にて表される曜日が、記憶部２ｂ内の情報にて表されるアラーム実行曜日になると、メロディの選択結果が示すメロディを、記憶部２ｂ内の情報にて表されるアラームの音量で、スピーカ２ｄ１から出力する。
【００３８】
なお、以下では、説明を簡略化するために、記憶部２ｂ内の情報にて表されるアラーム実行曜日が全曜日を表すものとする。この場合、制御部２ｅは、時刻情報にて表される時刻がアラーム時刻になると、スピーカ２ｄ１からアラームを出力することになる。
【００３９】
また、制御部２ｅは、記憶部２ｂにバイブレーション動作有りを表す情報が記憶されている場合、アラームがスピーカ２ｄ１から出力されている間、バイブレータ２ｄ２を動作させる。よって、バイブレータ２ｄ２の動作もアラームとして機能する。一方、記憶部２ｂにバイブレーション動作無しを表す情報が記憶されている場合、制御部２ｅは、スピーカ２ｄ１からアラームが出力されてもバイブレータ２ｄ２を動作させない。
【００４０】
また、制御部２ｅは、アラームの出力中にスヌーズボタン１ｂ１が操作されると、出力部２ｄからのアラームの出力を記憶部２ｂ内の情報にて表されるスヌーズ間隔だけ中断した後にアラームの出力を再び行うスヌーズ動作を行う。
【００４１】
また、制御部２ｅは、アラームの出力中にアラーム停止ボタン１ｂ２が操作されると、出力部２ｄからのアラームの出力を停止する。また、制御部２ｅは、スヌーズ動作に伴うアラームの中断中にアラーム停止ボタン１ｂ２が操作されると、スヌーズ動作を終了し、アラームの中断後のアラームの再出力を停止する。
【００４２】
算出部３は、一般的に算出手段と呼ぶことができる。
【００４３】
算出部３は、アラーム処理部２にてアラームの出力の停止またはアラームの再出力の停止が実行されると、アラーム時刻にアラームの出力が開始された時点からアラーム停止ボタン１ｂ２が操作された時点までの間にスヌーズボタン１ｂ１が操作された回数に基づいて、起床に要した時間の程度を表す「すぐ起き指数」を算出する。すぐ起き指数は、一般的に、起床指数と呼ぶことができる。本実施形態では、すぐ起き指数は、起床に要した時間の短さの程度を表す。
【００４４】
カウンタ３ａは、アラーム時刻にアラームの出力が開始された時点からアラーム停止ボタン１ｂ２が操作された時点までの間にスヌーズボタン１ｂ１が操作された回数（スヌーズ回数）をカウントするために使用される。
【００４５】
計算部３ｂは、スヌーズボタン１ｂ１の操作に従ってアラームの出力が中断されるごとに、カウンタ３ａをカウントアップする。なお、カウンタ３ａの初期値は「０」に設定される。
【００４６】
計算部３ｂは、アラーム処理部２にてアラームの出力の停止またはアラームの再出力の停止が実行されると、カウンタ３ａのカウント値に基づいて、すぐ起き指数を算出する。
【００４７】
本実施形態では、計算部３ｂは、アラームの出力開始時からアラーム停止ボタン１ｂ２の操作時までの間にスヌーズボタン１ｂ１が操作された回数が多いほど、すぐ起き指数が表す値を小さくする。
【００４８】
例えば、計算部３ｂは、スヌーズ連続実行回数が５回に設定されている状況で、すぐ起き指数＝１００−（１２×スヌーズ回数）という演算式に従って、すぐ起き指数を算出する。すぐ起き指数の演算式は、上記演算式に限らず適宜変更可能である。
【００４９】
なお、スヌーズ連続実行回数が９回以上に設定されている状況では、上記演算式により算出されたすぐ起き指数が「０」以下になることがある。本実施形態では、計算部３ｂは、すぐ起き指数が「０」以下になる場合、すぐ起き指数を「０」に設定する。
【００５０】
計算部３ｂは、すぐ起き指数を算出すると、カウンタ３ａのカウント値を初期値「０」に戻す。
【００５１】
送受信部４は、一般的に登録手段と呼ぶことができる。
【００５２】
送受信部４は、算出部３にて算出されたすぐ起き指数を、閲覧用情報としてサーバ２００に登録する。
【００５３】
本実施形態では、送受信部４は、記憶部２ｂ内の接続用情報（ＩＤと必要ならパスワード）と起きた旨のコメントと、計算部３ｂにて算出されたすぐ起き指数と、を含む起床メッセージを、閲覧用情報として、ネットワーク４００を介してサーバ２００に送信し、サーバ２００に、起床メッセージ内のＩＤのメッセージ（閲覧用情報）として、起きた旨のコメントとすぐ起き指数を登録する。
【００５４】
また、送受信部４は、入力部１ｃが受け付けた利用者からの入力に従って、サーバ２００内の閲覧用情報の閲覧を要求する旨の閲覧要求を、サーバ２００に送信する。
【００５５】
また、送受信部４は、閲覧要求に応じてサーバ２００から送信された閲覧用情報を受信する。制御部２ｅは、送受信部４が受信した閲覧用情報を表示部１ｂに表示する。
【００５６】
なお、制御部２ｅは、時計部２ｃからの時刻情報にて表される時刻が、記憶部２ｂ内の情報にて表されるアラーム時刻になると、画像記憶部１ａ内の第１画像情報にて表される第１画像と、スヌーズボタン１ｂ１と、アラーム停止ボタン１ｂ２と、を表示部１ｂに表示する。
【００５７】
また、制御部２ｅは、アラームの出力中にスヌーズボタン１ｂ１が操作されるごとに、表示部１ｂに表示される第１画像を小さくしていく。
【００５８】
また、制御部２ｅは、スヌーズ最大連続実行回数からスヌーズ動作の実際の連続実行回数（カウンタ３ａのカウント値）を引いた値に応じて形態が変わるスヌーズ回数対応画像を、さらに表示部１ｂに表示する。
【００５９】
スヌーズ回数対応画像としては、例えば、スヌーズ最大連続実行回数からカウンタ３ａのカウント値を引いた数のブロックが積層された画像が用いられてもよい。なお、スヌーズ回数対応画像は、スヌーズ最大連続実行回数からカウンタ３ａのカウント値を引いた数のブロックが積層された画像に限らず適宜変更可能である。
【００６０】
また、制御部２ｅは、アラーム時刻によるアラームの出力開始時からアラーム停止ボタン１ｂ２が操作されるまでの間、第１画像を表示し、アラーム停止ボタン１ｂ２が操作されると、第１画像の代わりに第２画像を表示する。なお、第１画像は、例えば両手で顔が隠された人間を表し、第２画像は、第１画像で隠されていた顔を表す画像である。
【００６１】
なお、制御部２ｅは、アラーム処理部２が起動すると、記憶部２ｂ内の接続用情報と就寝した旨のコメントとを含む就寝メッセージを、閲覧用情報として、ネットワーク４００を介してサーバ２００に送信し、サーバ２００に、就寝メッセージ内のＩＤのメッセージ（閲覧用情報）として、就寝した旨のコメントを登録してもよい。
【００６２】
情報処理端末１００は、コンピュータにて実現されてもよい。この場合、コンピュータは、有線または無線の通信回線を通じて受け付けたプログラムを実行することによって、表示入力部１、アラーム処理部２、算出部３および送受信部４として機能する。
【００６３】
なお、情報処理端末１００を実現するコンピュータは、コンピュータにて読み取り可能なＣＤ−ＲＯＭ（Compact Disk Read Only Memory）のような記録媒体に記録されたプログラムを読込み実行することによって、表示入力部１、アラーム処理部２、算出部３および送受信部４として機能してもよい。記録媒体は、ＣＤ−ＲＯＭに限らず適宜変更可能である。
【００６４】
サーバ２００は、送受信部２０１と、制御部２０２と、書き出し部２０３と、記憶部２０４と、を含む。
【００６５】
送受信部２０１は、情報処理端末１００および端末３００と情報を送受信する。
【００６６】
制御部２０２は、例えば、送受信部２０１が情報処理端末１００から起床メッセージを受信すると、その起床メッセージを書き出し部２０３に出力する。
【００６７】
また、制御部２０２は、送受信部２０１が情報処理端末１００から就寝メッセージを受信すると、その就寝メッセージを書き出し部２０３に出力する。
【００６８】
書き出し部２０３は、起床メッセージを受け付けると、起床メッセージに含まれるＩＤのメッセージとして、起きた旨のコメントとすぐ起き指数を、起床メッセージの受信時刻と共にホームページ、ブログまたは掲示板などのページ（閲覧用情報）に書き込み、その書き込み結果（閲覧用情報）を記憶部２０４に記憶する。
【００６９】
また、書き出し部２０３は、就寝メッセージを受け付けると、就寝メッセージに含まれるＩＤのメッセージとして、就寝した旨のコメントを、就寝メッセージの受信時刻と共にホームページ、ブログまたは掲示板などのページに書き込み、その書き込み結果を記憶部２０４に記憶する。
【００７０】
また、制御部２０２は、送受信部２０１が閲覧要求を受信すると、その閲覧要求の送信元に、その閲覧要求にて閲覧が要求されたページを送信する。
【００７１】
端末３００は、一般的に外部装置と呼ぶことができる。
【００７２】
端末３００は、送受信部３０１と、表示入力部３０２と、制御部３０３と、を含む。
【００７３】
送受信部３０１は、情報処理端末１００およびサーバ２００と情報を送受信する。表示入力部３０２は、表示部と入力部とを含み、画像を表示し、また、利用者から入力された情報を受け付ける。
【００７４】
制御部３０３は、表示入力部３０２が閲覧要求を受け付けると、その閲覧要求を、送受信部３０１からサーバ２００に送信する。制御部３０３は、送受信部３０１が閲覧要求に応じたページを受信すると、そのページを表示入力部３０３に表示する。制御部３０３は、表示入力部３０２が、閲覧要求に応じたページへの返信メッセージを受け付けると、その返信メッセージをサーバ２００に送信する。
【００７５】
サーバ２００では、送受信部２０１が返信メッセージを受信すると、制御部２０２は、その返信メッセージを書き出し部２０３に出力する。
【００７６】
書き出し部２０３は、返信メッセージを受け付けると、返信メッセージに記載されたコメントを、返信メッセージの元になったページに書き込み、その書き込み結果（閲覧用情報）を記憶部２０４に記憶する。
【００７７】
なお、情報処理端末１００も、サーバ２００に閲覧要求を送信することで、他の端末（端末３００）からの返信メッセージが書き込まれたページを表示することができる。
【００７８】
次に、動作を説明する。
【００７９】
図２は、アラーム設定画面に従ったアラーム設定動作を説明するための図である。
【００８０】
入力部１ｃが、アラーム設定画面の表示要求を利用者から受け付けると（ステップＳ２０１）、制御部２ｅは、画像記憶部１ａ内のアラーム設定画面情報に従って、アラーム設定画面を表示部１ｂに表示する（ステップＳ２０２）。
【００８１】
入力部１ｃが、利用者がアラーム設定画面に従って入力した各情報（アラーム時刻、アラームの音量、メロディの選択結果、アラーム実行曜日、バイブレーション動作の有無、および、スヌーズ間隔）を受け付けると（ステップＳ２０３）、制御部２ｅは、入力部１ｃが受け付けた各情報を、記憶部２ｂに記憶する（ステップＳ２０４）。
【００８２】
図３は、アラーム実施に関する動作を説明するための図である。図３の場合も、記憶部２ｂ内の情報にて表されるアラーム実行曜日が全曜日を表すものとする。
【００８３】
時計部２ｃからの時刻情報にて表される時刻がアラーム時刻になると（ステップＳ３０１）、出力部２ｄはアラームを出力し、表示部１ｂは、スヌーズボタン１ｂ１とアラーム停止ボタン１ｂ２と第１画像とスヌーズ回数対応画像とを表示する（ステップＳ３０２）。
【００８４】
なお、第１画像は、例えば、両手で顔が隠された人間を表す画像であり、スヌーズ回数対応画像は、例えば、スヌーズ最大連続実行回数からカウンタ３ａのカウント値を引いた数のブロックが積層された画像である。
【００８５】
アラーム出力中に、アラーム停止ボタン１ｂ２ではなくスヌーズボタン１ｂ１が操作されると（ステップＳ３０３、Ｓ３０４）、計算部３ｂは、カウンタ３ａをインクリメントし（ステップＳ３０５）、出力部２ｄは、アラームの出力をスヌーズ間隔だけ中断する（ステップＳ３０６）。
【００８６】
アラームの出力がスヌーズ間隔だけ中断すると、出力部２ｄは、アラームの出力を再び行い、表示部１ｂは、第１画像を予め決められた縮小率分（例えば、スヌーズボタンの操作回数が１回目のときは９０％、２回目のときは８０％、以降、操作回数が増えるごとに縮小率が１０％ずつ増える）縮小して表示し、スヌーズ回数対応画像の表示形態をカウンタ３ａのカウント値に応じて変更する（ステップＳ３０７）。このとき、表示部１ｂは、スヌーズボタン１ｂ１およびアラーム停止ボタン１ｂ２のサイズを変更しない。
【００８７】
図４は、スヌーズボタン１ｂ１の操作回数の増加に伴って変化する表示部１ｂ上の画像の例を示した図である。
【００８８】
図４において、表示部１ｂには、スヌーズボタン１ｂ１と、アラーム停止ボタン１ｂ２と、第１画像１ｂ３と、スヌーズ回数対応画像１ｂ４とが、表示されている。図４に示すように、表示部１ｂでは、スヌーズボタン１ｂ１の操作回数が多くなるに従って、矢印５００で示されたように、画像が変化していく。
【００８９】
なお、アラームの出力が中断している間、表示部１ｂは、スヌーズボタン１ｂ１とアラーム停止ボタン１ｂ２と第１画像１ｂ３とスヌーズ回数対応画像１ｂ４のそれぞれを表示してもよいし、表示しなくてもよい。
【００９０】
その後、処理がステップＳ３０３に戻る。
【００９１】
ステップＳ３０３で、アラーム停止ボタン１ｂ２が操作されると、出力部２ｄは、アラームの出力を停止してアラームを解除し、表示部１ｂは、図４の矢印５０１で示したように、第１画像１ｂ３の代わりに現在表示中の第１画像１ｂ３と同じ縮小率の第２画像１ｂ５を表示する（ステップＳ３０８）。第２画像１ｂ５は、例えば、第１画像で隠されていた顔を少なくとも表す画像である。なお、図４では、矢印５０１で示されたように、アラーム停止ボタン１ｂ２が操作されると、スヌーズ回数対応画像１ｂ４の表示がなくなっているが、スヌーズ回数対応画像１ｂ４は、例えば、アラーム停止ボタン１ｂ２が操作されてから特定時間（例えば１分間）表示され続けてもよい。なお、特定時間は１分に限らず適宜変更可能である。
【００９２】
また、スヌーズ動作によってアラームが中断している状況で、アラーム停止ボタン１ｂ２が操作された場合、制御部２ｅは、割り込み処理を実行して、アラームの再出力を停止し、処理をステップＳ３０８に進める。
【００９３】
ステップＳ３０８が終了すると、計算部３ｂは、カウンタ３ａのカウント値と、予め決められた算出式と、を用いて、すく起き指数を算出する（ステップＳ３０９）。
【００９４】
続いて、送受信部４は、記憶部２ｂ内の接続用情報と起きた旨のコメントと、計算部３ｂにて算出されたすぐ起き指数と、を含む起床メッセージを、閲覧用情報として、ネットワーク４００を介してサーバ２００に送信することによって、サーバ２００に、起床メッセージ内のＩＤのメッセージ（閲覧用情報）として、起きた旨のコメントとすぐ起き指数を登録する（ステップＳ３１０）。
【００９５】
サーバ２００では、制御部２０２は、送受信部２０１が情報処理端末１００から起床メッセージを受信すると、その起床メッセージを書き出し部２０３に出力する。
【００９６】
書き出し部２０３は、起床メッセージを受け付けると、起床メッセージに含まれるＩＤのメッセージとして、起きた旨のコメントとすぐ起き指数を、ホームページ、ブログまたは掲示板などのページに書き込み、その書き込み結果を記憶部２０４に記憶する。
【００９７】
また、制御部２０２は、送受信部２０１が閲覧要求を受信すると、その閲覧要求の送信元に、その閲覧要求にて閲覧が要求されたページを送信する。
【００９８】
また、制御部２０２は、送受信部２０１が、閲覧要求されたページの返信メッセージを受信すると、その返信メッセージを書き出し部２０３に出力する。
【００９９】
書き出し部２０３は、返信メッセージを受け付けると、返信メッセージに記載されたコメントを、返信メッセージの元になったページ（閲覧用情報）に書き込み、その書き込み結果（閲覧用情報）を記憶部２０４に記憶する。
【０１００】
情報処理端末１００も、サーバ２００に閲覧要求を送信することで、他の端末（端末３００）からの返信メッセージが書き込まれたページを表示することができる。
【０１０１】
なお、上記実施形態において、画像記憶部１ａは、第１画像情報と第２画像情報とのペアを複数記憶し、表示部１ｂで使用されるペアを、１日単位で変更してもよい。
【０１０２】
また、スヌーズ最大連続実行回数が利用者にて設定可能である場合、スヌーズ動作の実際の実行回数が、スヌーズ最大連続実行回数に達すると、スヌーズ制御に関する動作が自動的に終了されてもよい。
【０１０３】
また、送受信部４は、起床メッセージおよび就寝メッセージに、コンピュータを情報処理端末１００として機能させるプログラムを提供可能なプログラム提供装置のＵＲＬを付けてもよい。また、送受信部４は、起床メッセージおよび就寝メッセージに、コンピュータを情報処理端末１００として機能させるプログラムを提供可能なプログラム提供装置のＵＲＬと、そのプログラムを紹介するコメントと、を付けてもよい。
【０１０４】
また、端末３００として、情報処理端末１００と同一構成の端末が使用されてもよい。
【０１０５】
本実施形態によれば、算出部３は、アラーム処理部２にてアラームの出力の停止またはアラームの再出力の停止が実行されると、アラーム時刻にアラームの出力が開始された時点からアラーム停止ボタン１ｂ２が操作された時点までの間にスヌーズボタン１ｂ１が操作された回数に基づいて、すぐ起き指数を算出する。
【０１０６】
送受信部４は、算出部３にて算出されたすぐ起き指数を、閲覧用情報としてサーバ２００に登録する。
【０１０７】
このため、起床に要した時間の程度を表す「すぐ起き指数」がサーバ２００を介して公開される。よって、起床に要した時間の程度が、サーバ２００を介して第３者に閲覧可能になり、利用者が予定通りの時刻に起きるモチベーションを向上させることが可能になる。また、起床に要した時間に関するサーバ２００を介したコミュニケーションを助成することが可能になる。
【０１０８】
また、本実施形態では、算出部３は、アラームの出力開始時からアラーム停止ボタン１ｂ２の操作時までの間にスヌーズボタン１ｂ１が操作された回数が多いほど、「すぐ起き指数」が表す値を小さくする。この場合、起床に要した時間が短いほど、「すぐ起き指数」の値を大きくすることができる。
【０１０９】
また、本実施形態では、アラーム処理部２は、アラームの出力中にスヌーズボタン１ｂ１が操作されるごとに、表示部１ｂに表示される第１画像とその後表示される第２画像を小さくしていく。この場合、利用者が好む画像が第１画像と第２画像に使用されれば、利用者が起床に要した時間が短いほど、第１画像と第２画像のサイズの縮小率は小さくなり、利用者が予定通りの時刻に起きるモチベーションを向上させることが可能になる。
【０１１０】
また、本実施形態では、表示部１ｂは、予め設定された回数（スヌーズ最大連続実行回数）からスヌーズ動作の連続実行回数を引いた値に応じて形態が変わるスヌーズ回数対応画像を、さらに表示する。この場合、利用者は、スヌーズ回数対応画像の形態を確認することによって、スヌーズ動作の残り回数を認識することが可能になる。
【０１１１】
また、アラーム処理部２が起動すると、送受信部４が、就寝メッセージを閲覧用情報としてサーバ２００に登録する場合、起床に要した時間の程度を表す「すぐ起き指数」と共に就寝に関する情報もサーバ２００を介して公開される。よって、就寝および起床に要した時間に関するサーバ２００を介したコミュニケーションを助成することが可能になる。
【０１１２】
以上説明した実施形態において、図示した構成は単なる一例であって、本発明はその構成に限定されるものではない。
【符号の説明】
【０１１３】
１００      情報処理端末
１      表示入力部
１ａ    画像記憶部
１ｂ    表示部
１ｂ１  スヌーズボタン
１ｂ２  アラーム停止ボタン
１ｃ    入力部
２      アラーム処理部
２ａ    メロディ記憶部
２ｂ    記憶部
２ｃ    時計部
２ｄ    出力部
２ｄ１  スピーカ
２ｄ２  バイブレータ
３      算出部
３ａ    カウンタ
３ｂ    計算部
４      送受信部
２００      サーバ
２０１      送受信部
２０２      制御部
２０３      書き出し部
２０４      記憶部
３００      送受信部
３０２      表示入力部
３０３      制御部
４００      ネットワーク
【図１】
0005234841.tif 000002
【図２】
0005234841.tif 000003
【図３】
0005234841.tif 000004
【図４】
0005234841.tif 000005